(57)【要約】  本発明の一実施形態に係る充電システムは、車両のバッテリを充電可能な充電器と、充電器を制御するとともに、サーバと通信可能な充電コントローラとを備えた充電システムであって、充電コントローラはユーザ端末と無線通信可能な通信部を備え、サーバは、ユーザ端末の位置情報を通信部から取得し、位置情報に対応した充電コントローラに、ユーザ端末からの充電開始の指示を送信する。
2018110416.tif 000002
【特許請求の範囲】
【請求項１】
車両のバッテリを充電可能な充電器と、
前記充電器を制御するとともに、サーバと通信可能な充電コントローラとを備えた充電システムであって、
前記充電コントローラはユーザ端末と無線通信可能な通信部を備え、
前記サーバは、前記ユーザ端末の位置情報を前記通信部から取得し、前記位置情報に対応した前記充電コントローラに、前記ユーザ端末からの充電開始の指示を送信することを特徴とする充電システム。
【請求項２】
前記サーバは、前記通信部の識別子に基づき、前記ユーザ端末の前記位置情報を取得することを特徴とする請求項１に記載の充電システム。
【請求項３】
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする請求項１に記載の充電システム。
【請求項４】
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする請求項１乃至３のいずれか１項に記載の充電システム。
【請求項５】
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする請求項４に記載の充電システム。
【請求項６】
前記サーバは、前記ユーザ端末の認証が成功した場合に、前記決定された充電器における充電を許可することを特徴とする請求項５に記載の充電システム。
【請求項７】
前記ユーザ端末はユーザによって携帯可能であることを特徴とする請求項１乃至６のいずれか１項に記載の充電システム。
【請求項８】
前記ユーザ端末は前記車両に備え付けられていることを特徴とする請求項１乃至６のいずれか１項に記載の充電システム。
【請求項９】
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする請求項１に記載の充電システム。
【請求項１０】
車両のバッテリを充電可能な充電器を制御するとともに、サーバと通信可能な充電コントローラであって、
ユーザ端末と無線通信可能な通信部を備え、
前記サーバは、前記ユーザ端末の位置情報を取得し、前記位置情報に対応した前記充電コントローラに、前記ユーザ端末からの充電開始の指示を送信することを特徴とする充電コントローラ。
【請求項１１】
前記サーバは、前記通信部の識別子に基づき、前記ユーザ端末の前記位置情報を取得することを特徴とする請求項１０に記載の充電コントローラ。
【請求項１２】
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする請求項１０に記載の充電コントローラ。
【請求項１３】
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする請求項１０乃至１２のいずれか１項に記載の充電コントローラ。
【請求項１４】
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする請求項１３に記載の充電コントローラ。
【請求項１５】
前記サーバは、前記ユーザ端末の認証が成功した場合に、前記決定された充電器における充電を許可することを特徴とする請求項１４に記載の充電コントローラ。
【請求項１６】
前記ユーザ端末はユーザによって携帯可能であることを特徴とする請求項１０乃至１５のいずれか１項に記載の充電コントローラ。
【請求項１７】
前記ユーザ端末は前記車両に備え付けられていることを特徴とする請求項１０乃至１５のいずれか１項に記載の充電コントローラ。
【請求項１８】
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする請求項１０に記載の充電コントローラ。
【請求項１９】
サーバと通信可能な充電コントローラによって制御されるとともに、車両のバッテリを充電可能な充電器であって、
前記充電コントローラは、ユーザ端末と無線通信可能な通信部を備え、
前記サーバは、前記ユーザ端末の位置情報を前記充電コントローラから取得し、前記位置情報に対応した前記充電コントローラに、前記ユーザ端末からの充電開始の指示を送信することを特徴とする充電器。
【請求項２０】
前記通信部は前記充電コントローラに設けられ、
前記サーバは、前記通信部の識別子に基づき、前記ユーザ端末の前記位置情報を取得することを特徴とする請求項１９に記載の充電器。
【請求項２１】
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする請求項１９に記載の充電器。
【請求項２２】
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする請求項１９乃至２１のいずれか１項に記載の充電器。
【請求項２３】
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする請求項２２に記載の充電器。
【請求項２４】
前記サーバは、前記ユーザ端末の認証が成功した場合に、前記決定された充電器における充電を許可することを特徴とする請求項２３に記載の充電器。
【請求項２５】
前記ユーザ端末はユーザによって携帯可能であることを特徴とする請求項１９乃至２４のいずれか１項に記載の充電器。
【請求項２６】
前記ユーザ端末は前記車両に備え付けられていることを特徴とする請求項１９乃至２４のいずれか１項に記載の充電器。
【請求項２７】
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする請求項１９に記載の充電器。
【請求項２８】
車両のバッテリを充電可能な充電器を制御するとともに、サーバによって制御される充電コントローラと無線通信可能なユーザ端末であって、
前記充電コントローラは前記ユーザ端末と無線通信可能な通信部を備え、
前記サーバは、前記ユーザ端末の位置情報を前記通信部から取得し、前記位置情報に対応した前記充電コントローラに、前記ユーザ端末からの充電開始の指示を送信することを特徴とするユーザ端末。
【請求項２９】
前記サーバは、前記通信部の識別子に基づき、前記ユーザ端末の前記位置情報を取得することを特徴とする請求項２８に記載のユーザ端末。
【請求項３０】
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする請求項２８に記載のユーザ端末。
【請求項３１】
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする請求項２８乃至３０のいずれか１項に記載のユーザ端末。
【請求項３２】
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする請求項３１に記載のユーザ端末。
【請求項３３】
前記サーバは、前記ユーザ端末の認証が成功した場合に、前記決定された充電器における充電を許可することを特徴とする請求項３２に記載のユーザ端末。
【請求項３４】
前記ユーザ端末はユーザによって携帯可能であることを特徴とする請求項２８乃至３３のいずれか１項に記載のユーザ端末。
【請求項３５】
前記ユーザ端末は前記車両に備え付けられていることを特徴とする請求項２８乃至３３のいずれか１項に記載のユーザ端末。
【請求項３６】
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする請求項２８に記載のユーザ端末。
【請求項３７】
車両のバッテリを充電可能な充電器と、前記充電器を制御するとともに、サーバと通信可能な充電コントローラとを備えた充電システムによる充電方法であって、
ユーザ端末の位置情報を前記充電コントローラの通信部から取得するステップと、
前記位置情報に対応した前記充電コントローラに、前記ユーザ端末からの充電開始の指示を前記サーバから送信するステップと、
を備えることを特徴とする充電方法。
【請求項３８】
車両のバッテリを充電可能な充電器と、前記充電器を制御するとともに、サーバと通信可能な充電コントローラとを備えた充電システムによる充電方法をコンピュータに実行させるプログラムが記録された記録媒体であって、
ユーザ端末の位置情報を前記充電コントローラの通信部から取得するステップと、
前記位置情報に対応した前記充電コントローラに、前記ユーザ端末からの充電開始の指示を前記サーバから送信するステップと、
を備えることを特徴とする記録媒体。
【請求項３９】
車両のバッテリを充電可能な充電器を制御するとともに、サーバと通信可能な充電コントローラによる充電方法をコンピュータに実行させるプログラムが記録された記録媒体であって、
無線通信部によってユーザ端末と無線通信を行なうステップと、
前記サーバによって取得された前記ユーザ端末の位置情報に対応した前記充電コントローラにおいて、前記ユーザ端末からの充電開始の指示を前記サーバから受信するステップと、
を備えることを特徴とする記録媒体。
【請求項４０】
サーバと通信可能な充電コントローラによって制御されるとともに、車両のバッテリを充電可能な充電器による充電方法をコンピュータに実行させるプログラムが記録された記録媒体であって、
前記充電コントローラは通信部によってユーザ端末と無線通信を行ない、前記サーバは、前記ユーザ端末の位置情報に対応した前記充電コントローラに、前記ユーザ端末からの充電開始の指示を送信することにより、
前記充電器は前記充電コントローラから前記充電開始の指示を受信するステップ、
を備えることを特徴とする記録媒体。
【請求項４１】
車両のバッテリを充電可能な充電器を制御するとともに、サーバによって制御される充電コントローラと無線通信可能なユーザ端末による充電方法をコンピュータに実行させるプログラムが記録された記録媒体であって、
前記ユーザ端末は前記充電コントローラの通信部と無線通信を行なうステップを備え、
前記サーバは、前記ユーザ端末の位置情報を前記通信部から取得し、前記位置情報に対応した前記充電コントローラに、前記ユーザ端末からの充電開始の指示を送信することを特徴とする記録媒体。
【発明の詳細な説明】
【技術分野】
【０００１】
本発明は、電動車両の充電システム、充電コントローラ、充電器、ユーザ端末、充電方法および記録媒体に関する。
【背景技術】
【０００２】
環境意識の高まりに伴い、電動モータおよびエンジンを併用したハイブリッド自動車（ＨＥＶ：Ｈｙｂｒｉｄ  Ｅｌｅｃｔｒｉｃ  Ｖｅｈｉｃｌｅ）、プラグインハイブリッド自動車（ＰＨＶまたはＰＨＥＶ：Ｐｌｕｇ−ｉｎ  Ｈｙｂｒｉｄ  Ｅｌｅｃｔｒｉｃ  Ｖｅｈｉｃｌｅ）が普及している。さらに、近年では、電動モータのみによって駆動される電気自動車（ＥＶ：Ｅｌｅｃｔｒｉｃ  Ｖｅｈｉｃｌｅ）が開発されている。【０００３】
電動車両の普及のためには、バッテリを充電する充電システムの充実が欠かせないことから、様々な充電システムが案出されてきている。例えば、特許文献１に記載された充電システムは、車両に接続可能な複数の充電器と、複数の充電器を管理する充電コントローラと、ネットワークに接続されたサーバとを含む。充電器は典型的にはショッピングモールなどの駐車場に施設され、充電コントローラは店舗の入り口に設置され得る。このような充電システムにおいて、ユーザは、充電器と車両とをコネクタケーブルで接続した後、充電コントローラを操作することによって充電を開始させる必要がある。すなわち、ユーザが充電コントローラにＩＤカードを読み取らせるとともに、車両に接続された充電器の番号を入力することで、充電コントローラは指定された充電器における充電を開始させる。
【先行技術文献】
【特許文献】
【０００４】
【特許文献１】特開２０１２−１４７５５５号公報
【発明の概要】
【０００５】
特許文献１に記載の充電システムにおいて、ユーザは充電コントローラにＩＤカードを読み取らせ、充電器番号を入力するなど煩雑な操作が必要となる。また、充電コントローラが充電器から離れて設置されている場合には、ユーザは車両から降りた後、充電コントローラまで徒歩で移動しなければならない。特に、大型の駐車場に充電システムが施設されている場合には、充電器から充電コントローラまでの距離は長くなり、ユーザの負担はさらに大きくなる。
【０００６】
本発明は、上述の課題に鑑みてなされたものであって、ユーザの負担を軽減し、利便性に優れた充電システムを提供することを目的とする。
【課題を解決するための手段】
【０００７】
本発明の一観点によれば、車両のバッテリを充電可能な充電器と、前記充電器を制御するとともに、サーバと通信可能な充電コントローラとを備えた充電システムであって、前記充電コントローラはユーザ端末と無線通信可能な通信部を備え、前記サーバは、前記ユーザ端末の位置情報を前記通信部から取得し、前記位置情報に対応した前記充電コントローラに、前記ユーザ端末からの充電開始の指示を送信することを特徴とする充電システムが提供される。【０００８】
本発明の他の観点によれば、車両のバッテリを充電可能な充電器を制御するとともに、サーバと通信可能な充電コントローラであって、ユーザ端末と無線通信可能な通信部を備え、前記サーバは、前記ユーザ端末の位置情報を取得し、前記位置情報に対応した前記充電コントローラに、前記ユーザ端末からの充電開始の指示を送信することを特徴とする充電コントローラが提供される。【０００９】
本発明の他の観点によれば、サーバと通信可能な充電コントローラによって制御されるとともに、車両のバッテリを充電可能な充電器であって、前記充電コントローラは、ユーザ端末と無線通信可能な通信部を備え、前記サーバは、前記ユーザ端末の位置情報を前記充電コントローラから取得し、前記位置情報に対応した前記充電コントローラに、前記ユーザ端末からの充電開始の指示を送信することを特徴とする充電器が提供される。【００１０】
本発明の他の観点によれば、車両のバッテリを充電可能な充電器を制御するとともに、サーバによって制御される充電コントローラと無線通信可能なユーザ端末であって、前記充電コントローラはユーザ端末と無線通信可能な通信部を備え、前記サーバは、前記ユーザ端末の位置情報を前記通信部から取得し、前記位置情報に対応した前記充電コントローラに、前記ユーザ端末からの充電開始の指示を送信することを特徴とするユーザ端末が提供される。【００１１】
本発明の他の観点によれば、車両のバッテリを充電可能な充電器と、前記充電器を制御するとともに、サーバと通信可能な充電コントローラとを備えた充電システムによる充電方法であって、ユーザ端末の位置情報を前記充電コントローラから取得するステップと、前記位置情報に対応した前記充電コントローラに、前記ユーザ端末からの充電開始の指示を前記サーバから送信するステップと、を備えることを特徴とする充電方法が提供される。【００１２】
本発明の他の観点によれば、車両のバッテリを充電可能な充電器と、前記充電器を制御するとともに、サーバと通信可能な充電コントローラとを備えた充電システムによる充電方法をコンピュータに実行させるプログラムが記録された記録媒体であって、ユーザ端末の位置情報を前記充電コントローラから取得するステップと、前記位置情報に対応した前記充電コントローラに、前記ユーザ端末からの充電開始の指示を前記サーバから送信するステップと、を備えることを特徴とする記録媒体が提供される。【００１３】
本発明の他の観点によれば、車両のバッテリを充電可能な充電器を制御するとともに、サーバと通信可能な充電コントローラによる充電方法をコンピュータに実行させるプログラムが記録された記録媒体であって、無線通信部によってユーザ端末と無線通信を行なうステップと、前記サーバによって取得された前記ユーザ端末の位置情報に対応した前記充電コントローラにおいて、前記ユーザ端末からの充電開始の指示を前記サーバから受信するステップと、を備えることを特徴とする記録媒体が提供される。【００１４】
本発明の他の観点によれば、サーバと通信可能な充電コントローラによって制御されるとともに、車両のバッテリを充電可能な充電器による充電方法をコンピュータに実行させるプログラムが記録された記録媒体であって、前記充電コントローラは通信部によってユーザ端末と無線通信を行ない、前記サーバは、前記ユーザ端末の位置情報に対応した前記充電コントローラに、前記ユーザ端末からの充電開始の指示を送信することにより、前記充電器は前記充電コントローラから前記充電開始の指示を受信するステップ、を備えることを特徴とする記録媒体が提供される。【００１５】
本発明の他の観点によれば、車両のバッテリを充電可能な充電器を制御するとともに、サーバによって制御される充電コントローラと無線通信可能なユーザ端末による充電方法をコンピュータに実行させるプログラムが記録された記録媒体であって、前記ユーザ端末は前記充電コントローラの通信部と無線通信を行なうステップを備え、前記サーバは、前記ユーザ端末の位置情報を前記通信部から取得し、前記位置情報に対応した前記充電コントローラに、前記ユーザ端末からの充電開始の指示を送信することを特徴とする記録媒体が提供される。【００１６】
本発明によれば、ユーザの負担を軽減し、利便性に優れた充電システムを提供することが可能となる。
【図面の簡単な説明】
【００１７】
【図１】第１の実施形態における電動車両の充電システムのブロック図である。
【図２】第１の実施形態における充電コントローラのブロック図である。
【図３】第１の実施形態における充電器のブロック図である。
【図４】第１の実施形態における車両の充電回路のブロック図である。
【図５】第１の実施形態におけるユーザ端末のブロック図である。
【図６】第１の実施形態におけるユーザ登録処理を表すシーケンスチャートである。
【図７】第１の実施形態における充電システムのシーケンスチャートである。
【図８】第１の実施形態における充電システムのシーケンスチャートである。
【図９】第１の実施形態における充電システムのシーケンスチャートである。
【図１０Ａ】第１の実施形態におけるユーザ端末の表示画面である。
【図１０Ｂ】第１の実施形態におけるユーザ端末の表示画面である。
【図１０Ｃ】第１の実施形態におけるユーザ端末の表示画面である。
【図１０Ｄ】第１の実施形態におけるユーザ端末の表示画面である。
【図１１Ａ】第１の実施形態におけるユーザ端末の表示画面である。
【図１１Ｂ】第１の実施形態におけるユーザ端末の表示画面である。
【図１１Ｃ】第１の実施形態におけるユーザ端末の表示画面である。
【図１１Ｄ】第１の実施形態におけるユーザ端末の表示画面である。
【図１２】第２の実施形態における充電システムのシーケンスチャートである。
【図１３】第２の実施形態における充電システムのシーケンスチャートである。
【図１４】第２の実施形態における充電システムのシーケンスチャートである。
【図１５】第４の実施形態における充電システムの概略構成図である。
【発明を実施するための形態】
【００１８】
以下、図面を参照して、本発明の実施形態を説明する。
（第１の実施形態）
図１は、本実施形態における電動車両の充電システムのブロック図である。充電システムは、サーバ１に接続された充電コントローラ３、車両を充電可能な充電器４を含む。サーバ１はいわゆるクラウドサーバであって、ネットワーク８を介してユーザ端末６、充電コントローラ３と接続される。サーバ１は、ＣＰＵ、メモリ、記憶装置を含み、ユーザの登録情報、決済情報、充電履歴などの記録管理のほか、充電コントローラ３および充電器４の管理を行ない得る。
【００１９】
充電コントローラ３、充電器４はショッピングモールの駐車場、市街の充電スタンドなどに施設される。充電コントローラ３は例えば駐車場２を有する施設の入り口付近に設置され、充電器４は車両毎の駐車スペース近傍に施設される。充電コントローラ３には複数の充電器４がシリアル通信によってカスケード接続されている。充電器４の数は数千台に達することもあり得るが、１台であることを妨げない。充電器４は充電ケーブル４ａを備え、充電ケーブル４ａを車両５に接続することにより、充電器４から車両５のバッテリに電流が供給される。充電器４は典型的には普通充電器であるが、急速充電器であっても良い。車両５は、電動モータおよびエンジンを併用したハイブリッド自動車（ＨＥＶ）、プラグインハイブリッド自動車（ＰＨＥＶ）、または電動モータのみによって駆動される電気自動車（ＥＶ）などの電動車両である。以下の説明においては、これらの電動車両を単に「車両」と称する。ユーザ端末６は、スマートフォン、タブレットコンピュータなどの携帯端末、携帯可能なコンピュータなどの情報装置であり得る。
【００２０】
図２は、本実施形態における充電コントローラ３のブロック図である。充電コントローラ３は、バス３００、ＣＰＵ３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ディスプレイ３０４、タッチセンサ３０５、無線ＬＡＮ（Ｌｏｃａｌ  Ａｒｅａ  Ｎｅｔｗｏｒｋ）ユニット３０６、無線ＷＡＮ（Ｗｉｄｅ  Ａｒｅａ  Ｎｅｔｗｏｒｋ）ユニット３０７、ＬＡＮユニット３０８、Ｉ／Ｆ（Ｉｎｔｅｒｆａｃｅ）３０９、ＳＷ（Ｓｗｉｔｃｈ）３１０、カードリーダ３１１を含む。
【００２１】
ＣＰＵ３０１は予め定められたアプリケーションプログラムに従って充電処理を実行する。アプリケーションプログラムはＲＯＭ３０２に書き込まれても良く、ネットワーク８を介してサーバ１からダウンロードされても良い。ＲＡＭ３０３はＣＰＵ３０１の動作に必要なメモリ領域を提供する。ディスプレイ３０４はタッチセンサ３０５が表面上に配されたタッチパネルである。ディスプレイ３０４上には充電器４の番号、充電量、課金額などが表示され得る。無線ＬＡＮユニット（通信部）３０６は、例えばＷｉＦｉ規格に基づく無線送受信ユニットである。無線ＬＡＮユニット３０６の通信可能エリアは駐車場全体、すなわち充電コントローラ３、充電器４が施設された領域であることが望ましい。無線ＷＡＮユニット３０７は３Ｇ、ＬＴＥ、４Ｇなどの公衆無線回線に接続可能な送受信ユニットであり、図示されていない基地局との間で無線通信を行なう。無線ＬＡＮユニット３０６、無線ＷＡＮユニット３０７は車両との通信のために使用される。なお、駐車場が比較的に狭い場合には、Ｂｌｕｅｔｏｏｔｈ（登録商標）などの近距離通信を用いても良い。
【００２２】
Ｉ／Ｆ３０９はＲＳ２３２Ｃ、ＲＳ４８５などのシリアル通信規格に基づくインターフェースユニットであり、カスケード接続された複数の充電器４と通信を行なうことができる。カードリーダ３１１は会員カード、電子マネーカードなどの情報を読み出す装置であって、接触式、非接触式を問わない。
【００２３】
図３は本実施形態における充電器４のブロック図である。充電器４はＥＣＵ４０１、Ｉ／Ｆ４０２、ＰＷＭ（Ｐｕｌｓｅ  Ｗｉｄｔｈ  Ｍｏｄｕｌａｔｉｏｎ）回路４０３、電圧検出回路４０４、整流回路４０５、ノイズフィルタ４０６、リレースイッチ４０７、コネクタＣＮ１を含む。ＥＣＵ４０１はＣＰＵ、メモリなどから構成され、予め定められたアプリケーションプログラムに従い充電処理を実行する。アプリケーションプログラムはメモリに予め書き込まれても良く、ネットワークからダウンロードされても良い。Ｉ／Ｆ４０２はＲＳ２２３Ｃ、ＲＳ４８５などのシリアル通信インターフェースユニットであり、充電コントローラ３、他の充電器４に接続され得る。
【００２４】
ＰＷＭ回路４０３は、発振回路、パルス幅変調回路、電圧制御回路を含み、ＳＡＥ  Ｅｌｅｃｔｒｉｃ  Ｖｅｈｉｃｌｅ  Ｃｏｎｄｕｃｔｉｖｅ  Ｃｈａｒｇｅ  Ｃｏｕｐｌｅｒ、ＳＡＥ  Ｊ１７７２、ＩＥＣ６１８５の規格に基づくパイロット信号ＣＰＬＴ（Ｃｏｎｔｒｏｌ  Ｐｉｌｏｔ）を出力する。後述するように、パイロット信号ＣＰＬＴは、電圧およびパルス幅を変化させることによって、充電の開始および終了、電流量の指示、充電ケーブルの接続状態などを表す制御信号である。ＰＷＭ回路４０３の出力端子は抵抗Ｒ１を介してコネクタＣＮ１に接続される。電圧検出回路４０４は電圧コンパレータ回路などから構成され、パイロット信号ＣＰＬＴの電圧を検出する。
【００２５】
整流回路４０５はダイオードブリッジ回路を含み、交流電源４０８から供給された交流を直流に変換し、ＥＣＵ４０１、Ｉ／Ｆ４０２、ＰＷＭ回路４０３、電圧検出回路４０４に電源電圧を供給する。図示されていないが、整流回路４０５は、インダクタ、キャパシタなどの平滑回路を含み得る。ノイズフィルタ４０６は交流電源４０８に含まれるサージノイズなどを除去するフィルタ回路である。リレースイッチ４０７は電磁ソレノイド、可動接点を備え、ＥＣＵ４０１からの制御信号に従い、交流電源４０８とコネクタＣＮ１との電気経路を開閉させる。コネクタＣＮ１は充電ケーブル４ａに接続され、充電ケーブル４ａには、制御信号線Ｌ１、電源線Ｌ２、Ｌ３、接地線Ｌ４が含まれる。
【００２６】
図４は本実施形態における車両５の充電回路のブロック図である。車両５の充電回路は充電ＥＣＵ５０１、リレースイッチ５０２、整流回路５０３、ＤＣ／ＤＣコンバータ５０４、充電回路５０５、バッテリ５０６、コネクタＣＮ２を含む。コネクタＣＮ２には、充電ケーブル４ａのプラグが接続され、制御信号線Ｌ１、電源線Ｌ２、Ｌ３、接地線Ｌ４と車両５との電気的経路を形成する。充電ＥＣＵ５０１はＣＰＵ、メモリ、アナログデジタル変換器などを含み、予め定められたアプリケーションプログラムに従い処理を実行する。充電ＥＣＵ５０１の入力端子には、コネクタＣＮ２、ダイオードＤ１から制御信号線Ｌ１を介してＣＰＬＴ信号が入力される。制御信号線Ｌ１には抵抗Ｒ２、Ｒ３のそれぞれの一端が接続されている。抵抗Ｒ２の他端はトランジスタスイッチＱ１のコレクタに接続され、エミッタは接地されている。また、抵抗Ｒ３の他端はトランジスタスイッチＱ２のコレクタに接続され、エミッタは接地されている。トランジスタスイッチＱ１、Ｑ２のゲートには充電ＥＣＵから制御信号が入力され、ゲートにハイレベルの電圧が印加されることで、トランジスタスイッチＱ１、Ｑ２はオンとなる。
【００２７】
トランジスタスイッチＱ１、Ｑ２がオフである場合には、制御信号線Ｌ１にはＣＰＬＴ信号の電圧からダイオードＤ１の順方向電圧（約０．７Ｖ）を差し引いた電圧が現れる。また、トランジスタスイッチＱ１がオンになった場合には、パイロット信号ＣＰＬＴの電圧にＲ２／（Ｒ１＋Ｒ２）の比率を乗じた電圧が制御信号線Ｌ１に現れる。さらに、トランジスタスイッチＱ１、Ｑ２がともにオンになった場合には、パイロット信号ＣＰＬＴの電圧に（Ｒ２・Ｒ３／（Ｒ２＋Ｒ３））／（Ｒ１＋（Ｒ２・Ｒ３／（Ｒ２＋Ｒ３）））の比率を乗じた信号が現れる。このように、充電ＥＣＵ５０１がトランジスタスイッチＱ１、Ｑ２をオン、オフさせることにより、ＣＰＬＴ信号の電圧を変化させることができる。パイロット信号ＣＰＬＴの電圧変化は、充電ＥＣＵ５０１、充電器４の電圧検出回路４０４のそれぞれにおいて検出され得る。
【００２８】
リレースイッチ５０２は充電ＥＣＵ５０１によって制御され、コネクタＣＮ２と整流回路５０３との間の電気経路を開閉する。整流回路５０３は交流を直流に変換し、ＤＣ／ＤＣコンバータ５０４に直流電流を供給する。ＤＣ／ＤＣコンバータ５０４は整流された直流電圧を、バッテリ５０６の充電に必要な電圧に昇圧する。充電回路５０５はバッテリ５０６への電流を制御する回路、保護回路などを備える。充電回路５０５からバッテリ５０６に電流を供給することにより、バッテリ５０６は充電される。
【００２９】
図５は本実施形態におけるユーザ端末６のブロック図である。上述したように、ユーザ端末６はスマートフォン、タブレット型コンピュータ、カーナビゲーションシステムなどの情報装置から構成され得る。ユーザ端末６は、必ずしも車両５から分離した携帯端末に限定されず、車両５の複数のＥＣＵのうちの一部を有する車載装置であっても良いが、ここでは携帯端末を例に説明する。ユーザ端末６は、バス６００、ＣＰＵ６０１、ＲＯＭ６０２、ＲＡＭ６０３、ディスプレイ６０４、タッチセンサ６０５、無線ＬＡＮユニット６０６、無線ＷＡＮユニット６０７、ＧＰＳ（Ｇｌｏｂａｌ  Ｐｏｓｉｔｉｏｎｉｎｇ  Ｓｙｓｔｅｍ）ユニット６０８を備える。バス６００はアドレスバス、データバスを含み、ＣＰＵ６０１などの回路の間でデータの入出力を行う。ＣＰＵ６０１はオペレーティングプログラム、アプリケーションプログラムを実行するとともに、ユーザ端末６全体の制御を行う。ＲＯＭ６０２は不揮発性メモリにより構成され、オペレーティングプログラム、アプリケーションプログラムなどを格納する。ＲＡＭ６０３はＣＰＵ６０１の動作に必要なメモリ領域を提供する。ディスプレイ６０４はタッチセンサ６０５が表面上に配されたタッチパネルである。ディスプレイ６０４上には充電コントローラ３の識別番号、充電器４の識別番号、充電量、課金額などが表示され得る。
【００３０】
無線ＬＡＮユニット６０６は、例えばＷｉＦｉ規格に基づく無線送受信ユニットである。無線ＷＡＮユニット６０７は３Ｇ、ＬＴＥ、４Ｇなどの携帯電話の無線回線に接続可能な送受信ユニットである。なお、無線ＬＡＮユニット６０６、無線ＷＡＮユニット６０７を車両５との通信のために使用しても良い。ＧＰＳユニット６０８は複数のＧＰＳ衛星からの電波を受信することにより、ユーザ端末６の位置を計測可能である。ＧＰＳユニット６０８により計測された位置に基づき、車両５が充電サービスのエリアに入ったか否かを検出することが可能である。
【００３１】
図６は本実施形態におけるユーザ登録処理を表すシーケンスチャートである。先ず、ユーザはディスプレイ６０４に表示されたアイコンに触れることで、アプリケーションプログラムを起動させる（ステップＳ６０１）。ユーザはさらにアプリケーションプログラムのメニュー画面の中から初期設定の項目を選択すると、ユーザ端末６はディスプレイ６０４に登録画面を表示させる（ステップＳ６０２）。登録画面の一例を図１０Ａに示す。ユーザは「決済方法選択」の下に表示された矢印に触れると、複数の決済方法が表示される。ユーザは表示された複数の決済方法の中から所望の決済方法を選択する（ステップＳ６０３）。ユーザがクレジットの決済を選択すると、登録画面の下方に「カード番号」の入力欄が表示される。ユーザは画面にソフトウェアキーボードを表示させ、カード番号を入力する（ステップＳ６０４）。図１０Ａには示されていないが、ユーザの氏名、連絡先などの個人情報を入力しても良い。ユーザによって入力された決済方法、カード番号などの登録情報は通信回線を介してサーバ１に送信される。サーバ１は送信された登録情報に誤りがないかをチェックし、登録情報をデータベースに登録する（ステップＳ６０５）。サーバ１は認証パスワードを発行し、ユーザ端末６に送信する（ステップＳ６０６）。認証パスワードには有効期限を定めても良い。ユーザ端末６は送信された認証パスワードおよび有効期限をアプリケーションプログラム内に記憶させる（ステップＳ６０７）。以上の登録処理が完了すると、ユーザ端末６は登録画面の表示を終了させる（ステップＳ６０８）。
【００３２】
図７、図８、図９は本実施形態における充電システムのシーケンスチャートである。充電コントローラ３は無線ＬＡＮユニット３０６からビーコンを一定周期（例えば１００ｍｓｅｃ）で送信し続ける（ステップＳ７０２）。ビーコンには、無線ＬＡＮユニット３０６の識別子であるＳＳＩＤ（Ｓｅｒｖｉｃｅ  Ｓｅｔ  ＩＤ）、チャネル（周波数）情報、セキュリティ情報などが含まれる。車両５が駐車場２に入り、ユーザは車両５を充電器４の前に停車し、充電ケーブル４ａを車両５のコネクタＣＮ２に接続する（ステップＳ７０６）。充電器４において、充電ケーブル４ａが車両５に接続されることで、パイロット信号ＣＰＬＴの電圧は１２Ｖから９Ｖに低下する（ステップＳ７０７）。充電器４は、パイロット信号ＣＰＬＴの電圧が９Ｖになったことを検出すると、充電ケーブル４ａが車両５に接続されたと判断し、ＬＥＤを点滅させる。さらに、充電器４は、充電器４に車両５が接続されたことを、充電器４の識別番号とともに充電コントローラ３に通知する（ステップＳ７０９）。
【００３３】
ユーザがユーザ端末６においてアプリケーションプログラムを起動すると（ステップＳ７１４）、ユーザ端末６はカード番号、パスワードなどの情報を無線ＷＡＮユニット６０７を介してサーバ１に送信する（ステップＳ７１５）。サーバ１はカード番号、パスワードの認証を行い（ステップＳ７１６）、認証結果をユーザ端末６に送信する（ステップＳ７１７）。ここで、パスワードの期限が過ぎていた場合には、ユーザは登録画面（図１０Ａ）から改めてパスワードの取得を行なっても良い。認証が成功すると、ユーザ端末６は近隣の充電コントローラ３を検出し始める。例えば、図１０Ｂの表示画面において、ユーザが「開始」のボタンに触れると、ユーザ端末６は充電コントローラ３の検出を開始し、ディスプレイ６０４に「検出中」のメッセージを表示する（図１０Ｃ）。ユーザ端末６が駐車場、すなわち充電コントローラ３の通信可能エリアに入っている場合、ユーザ端末６はＳＳＩＤを受信する（ステップＳ７１８）。複数の駐車場が近接して設けられている場合、ユーザ端末６は複数のＳＳＩＤを受信し得る。この場合には、ユーザ端末６は複数のＳＳＩＤを取得する。ユーザ端末６は取得したＳＳＩＤの一覧を無線ＷＡＮ６０７を介してサーバ１に送信する（ステップＳ７１９）。
【００３４】
サーバ１は受信したＳＳＩＤのリストとサーバ１に保存されたデータベースとを照合し、ＳＳＩＤのそれぞれに対応した充電コントローラ３と、当該充電コントローラ３が設置された店舗とを検索する（ステップＳ７２２）。サーバ１は検索された充電コントローラ３、店舗の情報をユーザ端末６に送信する（ステップＳ７２３）。なお、サーバ１は無線ＬＡＮユニット３０６のＩＰアドレスを位置情報として取得しても良い。また、ユーザ端末６にＳＳＩＤと充電コントローラ３との変換テーブルを記憶させておき、ユーザ端末６がＳＳＩＤに対応した充電コントローラ３を検索しても良い。この場合には、ユーザ端末６は充電コントローラ３の情報をサーバ１に問い合わせることを要しない。
【００３５】
図８において、ユーザ端末６はサーバ１から送信された店舗などの情報をディスプレイ６０４に表示させる（ステップＳ８０２）。例えば、「店舗１：コントローラＡ、コントローラＢ」、「店舗２：コントローラＡ、コントローラＢ、コントローラＣ」のように、充電コントローラ３が店舗ごとに分類して表示される（図１０Ｄ参照）。表示された充電コントローラ３は、ユーザ端末６によって受信されたＳＳＩＤに対応しており、自己の車両５に充電を行なう充電コントローラ３の他、近隣の充電コントローラ３を含んでいる。ユーザは、表示された複数の充電コントローラ３の中から自己の車両５に充電を行なう充電コントローラ３を決定する（ステップＳ８０４）。例えば、ユーザがディスプレイ６０４において店舗１の「コントローラＡ」に触れることで、充電コントローラ３を決定することができる。
【００３６】
ユーザ端末６は、決定された充電コントローラ３に認証要求を行なう（ステップＳ８０５）。認証方法は限定されないが、Ｒａｄｉｕｓ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ）、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）などを用いることが可能である。また、公開鍵認証、デジタル証明書など様々な認証方法を用い得る。充電コントローラ３は認証を行い（ステップＳ８０６）、認証の結果をユーザ端末６に送信する（ステップＳ８０９）。認証が成功した場合には、ユーザ端末６は利用可能な充電器４のリストを充電コントローラ３に要求する（ステップＳ８１１）。充電コントローラ３は、当該充電コントローラ３に接続された複数の充電器４の中から、車両５に充電ケーブル４ａが接続されており、かつ、充電が開始されていない充電器４を検出する（ステップＳ８１４）。なお、複数のユーザが同じ時刻に充電を開始しようとした場合には、複数の充電器４が検出されることもある。サーバ１は検出された充電器４のリストをユーザ端末６に送信し（ステップＳ８１５）、ユーザ端末６はディスプレイ６０４に充電器４のリストを表示する（ステップＳ８１８）。図１１Ａに示されるように、表示画面は、「店舗１：コントローラＡ」において充電開始可能な充電器４の識別番号「Ａ−１」、「Ａ−３」を含む。また、表示画面は、選択可能な充電時間の表示を含む。例えば、ユーザの車両５が識別番号「Ａ−１」の充電器４に接続されている場合には、ユーザはディスプレイ６０４上において識別番号「Ａ−１」の充電器４を選択する。さらに、ユーザは充電時間を選択し、「次へ」のボタンに触れることで、充電器４、充電時間を決定する（ステップＳ８２０）。
【００３７】
続いて、ユーザ端末６は、充電開始の要求をディスプレイ６０４に表示し、ユーザに充電開始を促す（ステップＳ８２２）。例えば、図１１Ｂに示されたように、「店舗１：コントローラＡ」、「充電器：Ａ−１」、「充電時間：１時間」などの充電条件が表示される。図９において、ユーザは充電条件を確認し、「充電開始」の表示に触れると、ユーザ端末６は充電開始中であることをディスプレイ６０４に表示し（図１１Ｃ）、認証要求を充電コントローラ３に送信する（ステップＳ９０１）。認証要求には、充電開始要求、充電器４の識別番号、充電時間、決済情報（ユーザＩＤ、パスワード）等が含まれ得る。充電コントローラ３は、ユーザ端末６からの認証要求を受信し（ステップＳ９０２）、さらにサーバ１に対してユーザの認証の要求を行なう（ステップＳ９０３）。サーバ１は認証要求に対してデータベースの照合を行い（ステップＳ９０６）、認証結果を充電コントローラ３に送信する（ステップＳ９０７）。
【００３８】
認証が成功した場合には、充電コントローラ３は充電の開始を決定し（ステップＳ９１０）、識別番号「Ａ−１」の充電器４に対して充電の開始を指示する（ステップＳ９１１）。さらに、充電コントローラ３は充電の開始をユーザ端末６に通知し（ステップＳ９１３）、ユーザ端末６は充電が開始したことをディスプレイ６０４に表示する（図１１Ｄ）。充電器４は最大電流を０Ａから例えば１５Ａに変更する（ステップＳ９１６）。最大電流は上述したようにパイロット信号ＣＰＬＴのデューティ比によって定められる。充電ＥＣＵ５０１はパイロット信号ＣＰＬＴのデューティ比を検出し（ステップＳ９１７）、定められた最大電流で充電を開始する（ステップＳ９２０）。すなわち、充電ＥＣＵ５０１はリレースイッチ５０２をオンにし、充電器４から供給された電流をバッテリ５０６に充電する。
【００３９】
充電器４は最大電流を１５Ａに変更したことを充電コントローラ３に通知し、充電コントローラ３は充電器４において最大電流１５Ａでの充電が開始したことをサーバ１に通知する（ステップＳ９２３）。サーバ１はユーザＩＤにおける充電が開始したことをステータスとして記録する(ステップＳ９２４)。
【００４０】
車両５における充電が完了すると、ユーザは充電ケーブル４ａを車両５から抜去する（ステップＳ９２６）。車両５においては、パイロット信号ＣＰＬＴはローレベルとなり、充電ＥＣＵ５０１は充電ケーブル４ａが抜去されたことを検出することができる（ステップＳ９２７、Ｓ９３２）。充電器４においては、パイロット信号ＣＰＬＴは１２Ｖとなり、充電器４は充電ケーブル４ａが抜去されたことを検出することができる。充電器４は、充電ケーブル４ａが抜去され、充電が終了したことを充電コントローラ３に通知する（ステップＳ９２９）。充電コントローラ３は充電器４における充電終了を受信すると（ステップＳ９３４）、充電器４の識別番号「Ａ−１」とともに充電終了の通知をサーバ１に送信する（ステップＳ９３５）。サーバ１はステータスを充電中から充電終了に変更する。充電コントローラ３は課金情報としてユーザＩＤ、充電器４の識別番号、充電時間、充電開始／終了時刻、電力量などをサーバ１に送信し、サーバ１はユーザのアカウントにおいて課金処理を行う（ステップＳ９４０）。さらに、充電コントローラ３は充電終了の通知をユーザ端末６に送信し（ステップＳ９３７）、ユーザ端末６は充電が終了したことをディスプレイ６０４に表示する（ステップＳ９４２）。
【００４１】
以上により、本実施形態によれば、ユーザは車両から離れて充電コントローラを操作することなく、充電を開始することができ、ユーザの利便性を高めることが可能となる。
【００４２】
なお、本実施形態において、充電コントローラ３は、車両５が接続された充電器４のそれぞれを順に検出対象として識別信号を送信しているが、車両５の接続の有無を問わずにすべての充電器４を検出対象としても良い。また、車両５の充電を完了した充電器４を検出対象から除外しても良い。
【００４３】
（第２の実施形態）
続いて第２実施形態における充電システムを説明する。本実施形態においては、ユーザ端末６はＧＰＳユニット６０８によって複数のＧＰＳ衛星からの電波を受信することにより、ユーザ端末６の位置を測位可能である。ＧＰＳユニット６０８により計測された位置に基づき、車両５が充電サービスのエリアに入ったか否かを検出することが可能である。以下、本実施形態について、第１実施形態と異なる点を中心に説明する。
【００４４】
図１２、図１３、図１４は本実施形態における充電システムのシーケンスチャートである。以下の説明において、ユーザはユーザ端末６を用いてサーバ１にユーザ登録を済ませているものとする。図１２において、車両５が駐車場２に入り、ユーザは車両５を充電器４の前に停車し、充電ケーブル４ａを車両５に接続する（ステップＳ１２０６）。充電器４において、充電ケーブル４ａが車両５に接続されることで、パイロット信号ＣＰＬＴの電圧が低下する（ステップＳ１２０７）。さらに、充電器４は、充電器４に車両５が接続されたことを、充電器４の識別番号とともに充電コントローラ３に通知する（ステップＳ１２０９）。
【００４５】
ユーザがユーザ端末６においてアプリケーションプログラムを起動し（ステップＳ１２１２）、ユーザ端末６はカード番号、パスワードなどの情報をサーバ１に送信する（ステップＳ１２１５）。サーバ１はカード番号、パスワードの認証を行い（ステップＳ１２１６）、認証結果をユーザ端末６に送信する（ステップＳ１２１７）。認証が成功し、ユーザが図１０Ｂの表示画面において近隣のコントローラの検出を指示すると、ユーザ端末６はＧＰＳユニット６０８による位置情報の取得を行なう（ステップＳ１２１８）。ユーザ端末６は取得した位置情報をサーバ１に送信する（ステップＳ１２１９）。サーバ１は受信した位置情報とサーバ１に保存されたデータベースとを照合し、ユーザ端末６の近隣の充電コントローラ３と、当該充電コントローラ３が設置された店舗とを検索する（ステップＳ１２２２）。サーバ１は検索された充電コントローラ３、店舗の情報をユーザ端末６に送信する（ステップＳ１２２３）。
【００４６】
図１３において、ユーザ端末６はサーバ１から送信された店舗などの情報をディスプレイ６０４に表示させる（ステップＳ１３０２）。ユーザは、表示された複数の充電コントローラ３の中から自己の車両５に充電を行なう充電コントローラ３を決定する（ステップＳ１３０４）。ユーザ端末６は決定された充電コントローラ３をサーバ１に送信し（ステップＳ１３０５）、サーバ１は利用可能な充電器４のリストを充電コントローラ３に要求する（ステップＳ１３１１）。充電コントローラ３は、当該充電コントローラ３に接続された複数の充電器４の中から、車両５に充電ケーブル４ａが接続されており、かつ、充電が開始されていない充電器４を検出する（ステップＳ１３１４）。サーバ１は検出された充電器４のリストをサーバ１に送信し（ステップＳ１３１５）、さらにサーバ１は充電器４のリストをユーザ端末６に送信する（ステップＳ１３１７）。ユーザ端末６はディスプレイ６０４に充電器４のリストを表示し（ステップＳ１３１８）、ユーザはディスプレイ６０４上において充電器４、充電時間を決定する（ステップＳ１３２０）。
【００４７】
続いて、ユーザ端末６は、充電開始の要求をディスプレイ６０４に表示し、ユーザに充電開始を促す（ステップＳ１３２２）。図１４において、ユーザが充電開始の指示をユーザ端末６に入力すると、ユーザ端末６は認証要求をサーバ１に送信する（ステップＳ１４０１）。認証要求には、充電開始要求、充電器４の識別番号、充電時間、決済情報（ユーザＩＤ、パスワード）等が含まれ得る。サーバ１は認証要求に対してデータベースの照合を行い（ステップＳ１４０６）、認証結果を充電コントローラ３に送信する（ステップＳ１４０７）。
【００４８】
認証が成功すると、充電コントローラ３は充電の開始を決定し（ステップＳ１４１０）、ユーザ端末６において決定された充電器４に対して充電の開始を指示する（ステップＳ１４１１）。さらに、充電コントローラ３は充電の開始をユーザ端末６に通知し（ステップＳ１４１３）、ユーザ端末６は充電が開始したことをディスプレイ６０４に表示する。充電器４は最大電流を０Ａから例えば１５Ａに変更する（ステップＳ１４１６）。充電ＥＣＵ５０１はパイロット信号ＣＰＬＴのデューティ比を検出し（ステップＳ１４１７）、定められた最大電流で充電を開始する（ステップＳ１４２０）。以後の処理（ステップＳ１４２３〜Ｓ１４４２）は第１実施形態の処理（ステップＳ９２３〜Ｓ９４２）と同様であるため、その説明を省略する。
【００４９】
本実施形態においても、ＧＰＳの位置情報を用いながら、近隣の充電コントローラ３を検出することができ、ユーザは充電コントローラ３を直接に操作することなく、充電を開始することができる。本実施形態における充電システムは、ＧＰＳの位置情報を用いているが、ＳＳＩＤの位置情報と併せることでユーザ端末６の位置を高精度に検出しても良い。例えば、充電器４が地下施設に設置されており、ＧＰＳ電波を受信できないような場合、無線ＬＡＮのＳＳＩＤによる位置情報の取得が特に有効となる。さらに、ユーザがマニュアルで位置情報を取得しても良い。例えば、駐車場に車両５が入った際に、ユーザがユーザ端末６によって充電コントローラ３に貼付されたコードなどをスキャンすることによって、充電コントローラ３を識別しても良い。
【００５０】
（第３の実施形態）
第１および第２の実施形態においては、サーバ１と充電コントローラ３とサーバ１とが通信可能な状態における処理を説明した。第３の実施形態の充電システムにおいて、サーバ１と充電コントローラ３との通信が遮断（オフライン）されている場合、充電コントローラ３がユーザ端末６を認証し、充電を開始してもよい。すなわち、図７〜図９のステップＳ７１６において、サーバ１はユーザ端末６の認証を行っているが、サーバ１に代えて充電コントローラ３がユーザ端末６の認証を行う。充電コントローラ３による認証が成功すると、充電コントローラ３は充電器リストをユーザ端末６に送信し（ステップＳ８１４、Ｓ８１５）、ユーザ端末６によって決定された充電器４に充電を開始させる（ステップＳ９１６）。充電が終了してからサーバ１と充電コントローラ３との通信が回復し、オンラインになると、充電コントローラ３はオフライン中において発生したログデータをサーバ１に送信し、サーバ１は課金処理を実行することができる（ステップＳ９４０）。なお、本実施形態においては、サーバ１による充電コントローラ３の検索（ステップＳ７１９〜Ｓ７２３）を行うことを要しない。また、ユーザ端末６は受信可能なＳＳＩＤを充電コントローラ３のリストとして表示しても良い（ステップＳ８０２、Ｓ８０４）。
【００５１】
本実施形態によれば、充電コントローラ３がサーバ１と通信を行うことができない場合、充電コントローラ３がユーザ端末６を認証し、充電の開始を決定することができる。また、充電コントローラ３とサーバ１との通信が回復した後に、サーバ１による課金処理を行うことができる。
【００５２】
（第４の実施形態）
図１５は、上述の各実施形態に係る充電システムの概略構成図である。充電システムは充電コントローラ３と車両のバッテリを充電可能な充電器４とを備える。充電コントローラ３は充電器４を制御するとともに、サーバと通信可能である。充電コントローラ３はユーザ端末と無線通信可能な通信部３０を備える。サーバは、ユーザ端末の位置情報を通信部３０から取得し、位置情報に対応した充電コントローラ３に、ユーザ端末からの充電開始の指示を送信する。このような構成によれば、ユーザはユーザ端末において充電コントローラに対する充電開始の指示を行うことができ、離れて設置された充電コントローラまで移動せずに済む。従って、本実施形態によれば、ユーザの利便性を高めた充電システムを提供することが可能となる。
【００５３】
（他の実施形態）
本発明は、上述の実施形態に限定されることなく、本発明の趣旨を逸脱しない範囲において適宜変更可能である。例えば、複数の充電コントローラ３は相互に接続されていても良く、ユーザ端末６は一の充電コントローラ３を介して他の充電コントローラ３と通信を行っても良い。また、充電システムは全体として上述の機能を実現できればよく、サーバ１、充電コントローラ３、充電器４、ユーザ端末６のそれぞれに割り当てられる機能は必ずしも上述の実施形態に限定されない。第１実施形態において、充電ＥＣＵ５０１の一方の機能の一部またはすべてを他方において実行しても良い。さらに、第２の実施形態において、充電ＥＣＵ５０１、ユーザ端末６の一方の機能の一部またはすべてを他方において実行しても良い。ユーザ端末６は必ずしもユーザが所持していなくても良く、車両５に固定されていても良い。
【００５４】
また、位置情報はＳＳＩＤ、ＧＰＳに基づくものに限定されず、他の手段によって取得されても良い。例えば、ユーザ端末６にジャイロセンサを設けても良く、ユーザ端末６における受信電波強度に基づいてユーザ端末６の位置を取得しても良い。また、超広帯域（Ｕｌｔｒａ  Ｗｉｄｅ  Ｂａｎｄ）無線通信により、複数の充電コントローラ３からの信号の到達時間差を検出し、ユーザ端末６の位置を取得しても良い。さらに、ユーザ端末がＳＳＩＤ、ＧＰＳなどの位置情報を取得することができない場合には、ユーザがユーザ端末６にマニュアルで住所、店舗名、充電コントローラ３の識別番号を入力しても良い。
【００５５】
第１〜第３の実施形態においては、充電ケーブル４ａを用いた充電システムを例に説明したが、本発明は充電ケーブルを用いない非接触充電のシステムにおいても適用可能である。また、第１および第２実施形態において、ユーザＩＤの認証、課金などの処理をサーバ１が行なっているが、サーバ１が行なっている処理を充電コントローラ３において行なっても良い。すなわち、サーバ１の機能の一部またはすべてを充電コントローラ３において実行しても良い。また、第１および第２の実施形態において、充電コントローラ３の機能の一部またはすべてをサーバ１において実行しても良い。
【００５６】
サーバ１、充電コントローラ３、充電器４、ユーザ端末６の動作を司るアプリケーションプログラムはコンピュータによって実行可能な形式であればどのようなフォーマットで作成されていても良い。アプリケーションプログラムは光ディスク、磁気ディスク、フラッシュメモリ、ハードディスクなどの記録媒体により提供されても良く、インターネットなどの電気通信回線を通じて提供されても良い。
【００５７】
上述の実施形態の一部または全部は、以下の付記のようにも記載されうるが、以下には限られない。
【００５８】
（付記１）
車両のバッテリを充電可能な充電器と、
前記充電器を制御するとともに、サーバと通信可能な充電コントローラとを備えた充電システムであって、
前記充電コントローラはユーザ端末と無線通信可能な通信部を備え、
前記サーバは、前記ユーザ端末の位置情報を前記通信部から取得し、前記位置情報に対応した前記充電コントローラに、前記ユーザ端末からの充電開始の指示を送信することを特徴とする充電システム。
【００５９】
（付記２）
前記通信部は前記充電コントローラに設けられ、
前記サーバは、前記通信部の識別子に基づき、前記ユーザ端末の前記位置情報を取得することを特徴とする付記１に記載の充電システム。
【００６０】
（付記３）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記１に記載の充電システム。
【００６１】
（付記４）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記１乃至３のいずれかに記載の充電システム。
【００６２】
（付記５）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記４に記載の充電システム。
【００６３】
（付記６）
前記サーバは、前記ユーザ端末の認証が成功した場合に、前記決定された充電器における充電を許可することを特徴とする付記５に記載の充電システム。
【００６４】
（付記７）
前記ユーザ端末はユーザによって携帯可能であることを特徴とする付記１乃至６のいずれかに記載の充電システム。
【００６５】
（付記８）
前記ユーザ端末は前記車両に備え付けられていることを特徴とする付記１乃至６のいずれかに記載の充電システム。
【００６６】
（付記９）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記１に記載の充電システム。
【００６７】
（付記１０）
車両のバッテリを充電可能な充電器を制御するとともに、サーバと通信可能な充電コントローラであって、
ユーザ端末と無線通信可能な通信部を備え、
前記サーバは、前記ユーザ端末の位置情報を取得し、前記位置情報に対応した前記充電コントローラに、前記ユーザ端末からの充電開始の指示を送信することを特徴とする充電コントローラ。
【００６８】
（付記１１）
前記通信部は前記充電コントローラに設けられ、
前記サーバは、前記通信部の識別子に基づき、前記ユーザ端末の前記位置情報を取得することを特徴とする付記１０に記載の充電コントローラ。
【００６９】
（付記１２）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記１０に記載の充電コントローラ。
【００７０】
（付記１３）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記１０乃至１２のいずれかに記載の充電コントローラ。
【００７１】
（付記１４）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記１３に記載の充電コントローラ。
【００７２】
（付記１５）
前記サーバは、前記ユーザ端末の認証が成功した場合に、前記決定された充電器における充電を許可することを特徴とする付記１４に記載の充電コントローラ。
【００７３】
（付記１６）
前記ユーザ端末はユーザによって携帯可能であることを特徴とする付記１０乃至１５のいずれかに記載の充電コントローラ。
【００７４】
（付記１７）
前記ユーザ端末は前記車両に備え付けられていることを特徴とする付記１０乃至１５のいずれかに記載の充電コントローラ。
【００７５】
（付記１８）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記１０に記載の充電コントローラ。
【００７６】
（付記１９）
サーバと通信可能な充電コントローラによって制御されるとともに、車両のバッテリを充電可能な充電器であって、
前記充電コントローラは、ユーザ端末と無線通信可能な通信部を備え、
前記サーバは、前記ユーザ端末の位置情報を前記充電コントローラから取得し、前記位置情報に対応した前記充電コントローラに、前記ユーザ端末からの充電開始の指示を送信することを特徴とする充電器。
【００７７】
（付記２０）
前記通信部は前記充電コントローラに設けられ、
前記サーバは、前記通信部の識別子に基づき、前記ユーザ端末の前記位置情報を取得することを特徴とする付記１９に記載の充電器。
【００７８】
（付記２１）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記１９に記載の充電器。
【００７９】
（付記２２）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記１９乃至２１のいずれかに記載の充電器。
【００８０】
（付記２３）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記２２に記載の充電器。
【００８１】
（付記２４）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記２３に記載の充電器。
【００８２】
（付記２５）
前記サーバは、前記ユーザ端末の認証が成功した場合に、前記決定された充電器における充電を許可することを特徴とする付記２４に記載の充電器。
【００８３】
（付記２６）
前記ユーザ端末はユーザによって携帯可能であることを特徴とする付記１９乃至２５のいずれかに記載の充電器。
【００８４】
（付記２７）
前記ユーザ端末は前記車両に備え付けられていることを特徴とする付記１９乃至２５のいずれかに記載の充電器。
【００８５】
（付記２８）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記１９に記載の充電器。
【００８６】
（付記２９）
車両のバッテリを充電可能な充電器を制御するとともに、サーバによって制御される充電コントローラと無線通信可能なユーザ端末であって、
前記充電コントローラは前記ユーザ端末と無線通信可能な通信部を備え、
前記サーバは、前記ユーザ端末の位置情報を前記通信部から取得し、前記位置情報に対応した前記充電コントローラに、前記ユーザ端末からの充電開始の指示を送信することを特徴とするユーザ端末。
【００８７】
（付記３０）
前記通信部は前記充電コントローラに設けられ、
前記サーバは、前記通信部の識別子に基づき、前記ユーザ端末の前記位置情報を取得することを特徴とする付記２９に記載のユーザ端末。
【００８８】
（付記３１）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記２９に記載のユーザ端末。
【００８９】
（付記３２）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記２９乃至３１のいずれかに記載のユーザ端末。
【００９０】
（付記３３）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記３２に記載のユーザ端末。
【００９１】
（付記３４）
前記サーバは、前記ユーザ端末の認証が成功した場合に、前記決定された充電器における充電を許可することを特徴とする付記３３に記載のユーザ端末。
【００９２】
（付記３５）
前記ユーザ端末はユーザによって携帯可能であることを特徴とする付記２９乃至３４のいずれかに記載のユーザ端末。
【００９３】
（付記３６）
前記ユーザ端末は前記車両に備え付けられていることを特徴とする付記２９乃至３４のいずれかに記載のユーザ端末。
【００９４】
（付記３７）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記２９に記載のユーザ端末。
【００９５】
（付記３８）
車両のバッテリを充電可能な充電器と、前記充電器を制御するとともに、サーバと通信可能な通信部を有する充電コントローラとを備えた充電システムによる充電方法であって、
ユーザ端末の位置情報を前記充電コントローラの通信部から取得するステップと、
前記位置情報に対応した前記充電コントローラに、前記ユーザ端末からの充電開始の指示を前記サーバから送信するステップと、
を備えることを特徴とする充電方法。
【００９６】
（付記３９）
前記サーバは、前記通信部の識別子に基づき、前記ユーザ端末の前記位置情報を取得することを特徴とする付記３８に記載の充電方法。
【００９７】
（付記４０）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記３８に記載の充電方法。
【００９８】
（付記４１）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記３８乃至４０のいずれかに記載の充電方法。
【００９９】
（付記４２）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記４１に記載の充電方法。
【０１００】
（付記４３）
前記サーバは、前記ユーザ端末の認証が成功した場合に、前記決定された充電器における充電を許可することを特徴とする付記４２に記載の充電方法。
【０１０１】
（付記４４）
前記ユーザ端末はユーザによって携帯可能であることを特徴とする付記３８乃至４３のいずれかに記載の充電方法。
【０１０２】
（付記４５）
前記ユーザ端末は前記車両に備え付けられていることを特徴とする付記３８乃至４３のいずれかに記載の充電方法。
【０１０３】
（付記４６）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記３８に記載の充電方法。
【０１０４】
（付記４７）
車両のバッテリを充電可能な充電器を制御するとともに、サーバと通信可能な充電コントローラによる充電方法であって、
無線通信部によってユーザ端末と無線通信を行なうステップと、
前記サーバによって取得された前記ユーザ端末の位置情報に対応した前記充電コントローラにおいて、前記ユーザ端末からの充電開始の指示を前記サーバから受信するステップと、
を備えることを特徴とする充電方法。
【０１０５】
（付記４８）
前記サーバは、前記通信部の識別子に基づき、前記ユーザ端末の前記位置情報を取得することを特徴とする付記４７に記載の充電方法。
【０１０６】
（付記４９）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記４７に記載の充電方法。
【０１０７】
（付記５０）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記４７乃至４９のいずれかに記載の充電方法。
【０１０８】
（付記５１）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記５０に記載の充電方法。
【０１０９】
（付記５２）
前記サーバは、前記ユーザ端末の認証が成功した場合に、前記決定された充電器における充電を許可することを特徴とする付記５１に記載の充電方法。
【０１１０】
（付記５３）
前記ユーザ端末はユーザによって携帯可能であることを特徴とする付記４７乃至５２のいずれかに記載の充電方法。
【０１１１】
（付記５４）
前記ユーザ端末は前記車両に備え付けられていることを特徴とする付記４７乃至５２のいずれかに記載の充電方法。
【０１１２】
（付記５５）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記４７に記載の充電方法。
【０１１３】
（付記５６）
サーバと通信可能な充電コントローラによって制御されるとともに、車両のバッテリを充電可能な充電器による充電方法であって、
前記充電コントローラは通信部によってユーザ端末と無線通信を行ない、前記サーバは、前記ユーザ端末の位置情報に対応した前記充電コントローラに、前記ユーザ端末からの充電開始の指示を送信することにより、
前記充電器は前記充電コントローラから前記充電開始の指示を受信するステップ、
を備えることを特徴とする充電方法。
【０１１４】
（付記５７）
前記サーバは、前記通信部の識別子に基づき、前記ユーザ端末の前記位置情報を取得することを特徴とする付記５６に記載の充電方法。
【０１１５】
（付記５８）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記５６に記載の充電方法。
【０１１６】
（付記５９）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記５６乃至５８のいずれかに記載の充電方法。
【０１１７】
（付記６０）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記５９に記載の充電方法。
【０１１８】
（付記６１）
前記サーバは、前記ユーザ端末の認証が成功した場合に、前記決定された充電器における充電を許可することを特徴とする付記６０に記載の充電方法。
【０１１９】
（付記６２）
前記ユーザ端末はユーザによって携帯可能であることを特徴とする付記５６乃至６１のいずれかに記載の充電方法。
【０１２０】
（付記６３）
前記ユーザ端末は前記車両に備え付けられていることを特徴とする付記５６乃至６１のいずれかに記載の充電方法。
【０１２１】
（付記６４）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記５６に記載の充電方法。
【０１２２】
（付記６５）
車両のバッテリを充電可能な充電器を制御するとともに、サーバによって制御される充電コントローラと無線通信可能なユーザ端末による充電方法であって、
前記ユーザ端末は前記充電コントローラの通信部と無線通信を行なうステップを備え、
前記サーバは、前記ユーザ端末の位置情報を前記通信部から取得し、前記位置情報に対応した前記充電コントローラに、前記ユーザ端末からの充電開始の指示を送信することを特徴とする充電方法。
【０１２３】
（付記６６）
前記サーバは、前記通信部の識別子に基づき、前記ユーザ端末の前記位置情報を取得することを特徴とする付記６５に記載の充電方法。
【０１２４】
（付記６７）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記６５に記載の充電方法。
【０１２５】
（付記６８）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記６５乃至６７のいずれかに記載の充電方法。
【０１２６】
（付記６９）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記６８に記載の充電方法。
【０１２７】
（付記７０）
前記サーバは、前記ユーザ端末の認証が成功した場合に、前記決定された充電器における充電を許可することを特徴とする付記６９に記載の充電方法。
【０１２８】
（付記７１）
前記ユーザ端末はユーザによって携帯可能であることを特徴とする付記６５乃至７０のいずれかに記載の充電方法。
【０１２９】
（付記７２）
前記ユーザ端末は前記車両に備え付けられていることを特徴とする付記６５乃至７０のいずれかに記載の充電方法。
【０１３０】
（付記７３）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記６５に記載の充電方法。
【０１３１】
（付記７４）
車両のバッテリを充電可能な充電器と、前記充電器を制御するとともに、サーバと通信可能な通信部を有する充電コントローラとを備えた充電システムによる充電方法をコンピュータに実行させるプログラムが記録された記録媒体であって、
ユーザ端末の位置情報を前記充電コントローラの通信部から取得するステップと、
前記位置情報に対応した前記充電コントローラに、前記ユーザ端末からの充電開始の指示を前記サーバから送信するステップと、
を備えることを特徴とする記録媒体。
【０１３２】
（付記７５）
前記サーバは、前記通信部の識別子に基づき、前記ユーザ端末の前記位置情報を取得することを特徴とする付記７４に記載の記録媒体。
【０１３３】
（付記７６）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記７４に記載の記録媒体。
【０１３４】
（付記７７）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記７４乃至７６に記載の記録媒体。
【０１３５】
（付記７８）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記７７に記載の記録媒体。
【０１３６】
（付記７９）
前記サーバは、前記ユーザ端末の認証が成功した場合に、前記決定された充電器における充電を許可することを特徴とする付記７８に記載の記録媒体。
【０１３７】
（付記８０）
前記ユーザ端末はユーザによって携帯可能であることを特徴とする付記７４乃至７９のいずれかに記載の記録媒体。
【０１３８】
（付記８１）
前記ユーザ端末は前記車両に備え付けられていることを特徴とする付記７４乃至７９のいずれかに記載の記録媒体。
【０１３９】
（付記８２）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記７４に記載の記録媒体。
【０１４０】
（付記８３）
車両のバッテリを充電可能な充電器を制御するとともに、サーバと通信可能な充電コントローラによる充電方法をコンピュータに実行させるプログラムが記録された記録媒体であって、
無線通信部によってユーザ端末と無線通信を行なうステップと、
前記サーバによって取得された前記ユーザ端末の位置情報に対応した前記充電コントローラにおいて、前記ユーザ端末からの充電開始の指示を前記サーバから受信するステップと、
を備えることを特徴とする記録媒体。
【０１４１】
（付記８４）
前記サーバは、前記通信部の識別子に基づき、前記ユーザ端末の前記位置情報を取得することを特徴とする付記８３に記載の記録媒体。
【０１４２】
（付記８５）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記８３に記載の記録媒体。
【０１４３】
（付記８６）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記８３乃至８５に記載の記録媒体。
【０１４４】
（付記８７）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記８６に記載の記録媒体。
【０１４５】
（付記８８）
前記サーバは、前記ユーザ端末の認証が成功した場合に、前記決定された充電器における充電を許可することを特徴とする付記８７に記載の記録媒体。
【０１４６】
（付記８９）
前記ユーザ端末はユーザによって携帯可能であることを特徴とする付記８３乃至８８のいずれかに記載の記録媒体。
【０１４７】
（付記９０）
前記ユーザ端末は前記車両に備え付けられていることを特徴とする付記８３乃至８８のいずれかに記載の記録媒体。
【０１４８】
（付記９１）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記８３に記載の記録媒体。
【０１４９】
（付記９２）
サーバと通信可能な充電コントローラによって制御されるとともに、車両のバッテリを充電可能な充電器による充電方法をコンピュータに実行させるプログラムが記録された記録媒体であって、
前記充電コントローラは通信部によってユーザ端末と無線通信を行ない、前記サーバは、前記ユーザ端末の位置情報に対応した前記充電コントローラに、前記ユーザ端末からの充電開始の指示を送信することにより、
前記充電器は前記充電コントローラから前記充電開始の指示を受信するステップ、
を備えることを特徴とする記録媒体。
【０１５０】
（付記９３）
前記サーバは、前記通信部の識別子に基づき、前記ユーザ端末の前記位置情報を取得することを特徴とする付記９２に記載の記録媒体。
【０１５１】
（付記９４）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記９２に記載の記録媒体。
【０１５２】
（付記９５）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記９２乃至９４に記載の記録媒体。
【０１５３】
（付記９６）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記９５に記載の記録媒体。
【０１５４】
（付記９７）
前記サーバは、前記ユーザ端末の認証が成功した場合に、前記決定された充電器における充電を許可することを特徴とする付記９６に記載の記録媒体。
【０１５５】
（付記９８）
前記ユーザ端末はユーザによって携帯可能であることを特徴とする付記９２乃至９７のいずれかに記載の記録媒体。
【０１５６】
（付記９９）
前記ユーザ端末は前記車両に備え付けられていることを特徴とする付記９２乃至９７のいずれかに記載の記録媒体。
【０１５７】
（付記１００）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記９２に記載の記録媒体。
【０１５８】
（付記１０１）
車両のバッテリを充電可能な充電器を制御するとともに、サーバによって制御される充電コントローラと無線通信可能なユーザ端末による充電方法をコンピュータに実行させるプログラムが記録された記録媒体であって、
前記ユーザ端末は前記充電コントローラの通信部と無線通信を行なうステップを備え、
前記サーバは、前記ユーザ端末の位置情報を前記通信部から取得し、前記位置情報に対応した前記充電コントローラに、前記ユーザ端末からの充電開始の指示を送信することを特徴とする記録媒体。
【０１５９】
（付記１０２）
前記サーバは、前記通信部の識別子に基づき、前記ユーザ端末の前記位置情報を取得することを特徴とする付記１０１に記載の記録媒体。
【０１６０】
（付記１０３）
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする付記１０１に記載の記録媒体。
【０１６１】
（付記１０４）
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする付記１０１乃至１０３に記載の記録媒体。
【０１６２】
（付記１０５）
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする付記１０４に記載の記録媒体。
【０１６３】
（付記１０６）
前記サーバは、前記ユーザ端末の認証が成功した場合に、前記決定された充電器における充電を許可することを特徴とする付記１０５に記載の記録媒体。
【０１６４】
（付記１０７）
前記ユーザ端末はユーザによって携帯可能であることを特徴とする付記１０１乃至１０６のいずれかに記載の記録媒体。
【０１６５】
（付記１０８）
前記ユーザ端末は前記車両に備え付けられていることを特徴とする付記１０１乃至１０６のいずれかに記載の記録媒体。
【０１６６】
（付記１０９）
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする付記１０１に記載の記録媒体。
【０１６７】
この出願は、２０１６年１２月１５日に出願された日本出願特願２０１６−２４３０８６を基礎とする優先権を主張し、その開示のすべてをここに取り込む。
【図１】
2018110416.tif 000003
【図２】
2018110416.tif 000004
【図３】
2018110416.tif 000005
【図４】
2018110416.tif 000006
【図５】
2018110416.tif 000007
【図６】
2018110416.tif 000008
【図７】
2018110416.tif 000009
【図８】
2018110416.tif 000010
【図９】
2018110416.tif 000011
【図１０Ａ】
2018110416.tif 000012
【図１０Ｂ】
2018110416.tif 000013
【図１０Ｃ】
2018110416.tif 000014
【図１０Ｄ】
2018110416.tif 000015
【図１１Ａ】
2018110416.tif 000016
【図１１Ｂ】
2018110416.tif 000017
【図１１Ｃ】
2018110416.tif 000018
【図１１Ｄ】
2018110416.tif 000019
【図１２】
2018110416.tif 000020
【図１３】
2018110416.tif 000021
【図１４】
2018110416.tif 000022
【図１５】
2018110416.tif 000023
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
サーバと、車両のバッテリを充電可能な充電器を制御するとともに前記サーバと通信可能な充電コントローラとを備えた充電システムであって、
前記サーバは、ユーザ端末の位置情報を取得し、前記位置情報に対応した前記充電コントローラに、前記ユーザ端末からの充電開始の指示を送信することを特徴とする充電システム。
【請求項２】
前記サーバは、前記充電コントローラに設けられた通信部の識別子に基づき、前記ユーザ端末の前記位置情報を取得することを特徴とする請求項１に記載の充電システム。
【請求項３】
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする請求項１に記載の充電システム。
【請求項４】
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする請求項１乃至３のいずれか１項に記載の充電システム。
【請求項５】
前記決定された充電コントローラは、充電開始可能な前記充電器のリストを前記ユーザ端末に送信し、前記充電器のリストにおいて前記ユーザ端末によって決定された前記充電器に、充電を開始させることを特徴とする請求項４に記載の充電システム。
【請求項６】
前記サーバは、前記ユーザ端末の認証が成功した場合に、前記決定された前記充電器における充電を許可することを特徴とする請求項５に記載の充電システム。
【請求項７】
前記ユーザ端末はユーザによって携帯可能であることを特徴とする請求項１乃至６のいずれか１項に記載の充電システム。
【請求項８】
前記ユーザ端末は前記車両に備え付けられていることを特徴とする請求項１乃至６のいずれか１項に記載の充電システム。
【請求項９】
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする請求項１に記載の充電システム。
【請求項１０】
車両のバッテリを充電可能な充電器を制御するとともに、サーバと通信可能な充電コントローラであって、
ユーザ端末の位置情報を取得した前記サーバを介して、前記ユーザ端末からの充電開始の指示を受信することを特徴とする充電コントローラ。
【請求項１１】
前記ユーザ端末と無線通信可能な通信部を備え、
前記サーバは、前記通信部の識別子に基づき、前記ユーザ端末の前記位置情報を取得することを特徴とする請求項１０に記載の充電コントローラ。
【請求項１２】
前記サーバは、前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を取得することを特徴とする請求項１０に記載の充電コントローラ。
【請求項１３】
前記サーバは、前記位置情報に対応した前記充電コントローラのリストを前記ユーザ端末に送信し、前記ユーザ端末は、前記充電コントローラのリストにおいて前記ユーザ端末によって決定された前記充電コントローラとの無線通信を確立することを特徴とする請求項１０乃至１２のいずれか１項に記載の充電コントローラ。
【請求項１４】
充電開始可能な前記充電器のリストを前記ユーザ端末に送信し、前記充電器のリストにおいて前記ユーザ端末によって決定された前記充電器に、充電を開始させることを特徴とする請求項１３に記載の充電コントローラ。
【請求項１５】
前記充電コントローラと前記サーバとの通信がオフラインである場合、前記充電コントローラは前記ユーザ端末の認証を行い、充電開始可能な前記充電器のリストを前記認証が成功した前記ユーザ端末に送信し、前記充電器のリストにおいて前記ユーザ端末によって決定された前記充電器に充電を開始させ、前記充電が終了した後に前記充電コントローラと前記サーバとの通信がオンラインになった後に、前記充電コントローラはオフライン中に発生したログデータを前記サーバに送信することを特徴とする請求項１０に記載の充電コントローラ。
【請求項１６】
サーバと、車両のバッテリを充電可能な充電器を制御するとともに前記サーバと通信可能な充電コントローラとを備える充電システムにおいて用いられるユーザ端末であって、
前記ユーザ端末の位置情報を前記サーバに送信し、
前記サーバから、前記位置情報に対応した前記充電コントローラのリストを受信することを特徴とするユーザ端末。
【請求項１７】
前記充電コントローラに設けられた通信部の識別子に基づき、前記ユーザ端末の前記位置情報を前記サーバに送信することを特徴とする請求項１６に記載のユーザ端末。
【請求項１８】
前記ユーザ端末によるＧＰＳ（Ｇｌｏｂａｌ  Ｐｏｓｉｔｉｏｎｉｎｇ  Ｓｙｓｔｅｍ）の測位に基づき前記位置情報を前記サーバに送信することを特徴とする請求項１６に記載のユーザ端末。
【請求項１９】
前記位置情報に対応した前記充電コントローラのリストを前記サーバから受信し、前記充電コントローラのリストにおいて前記ユーザ端末によって決定された前記充電コントローラとの無線通信を確立することを特徴とする請求項１６乃至１８のいずれか１項に記載のユーザ端末。
【請求項２０】
前記決定された充電コントローラから、充電開始可能な前記充電器のリストを受信し、前記充電器のリストにおいて前記ユーザ端末によって決定された前記充電器において充電を開始させる指示を前記サーバに送信することを特徴とする請求項１９に記載のユーザ端末。
【請求項２１】
ユーザによって携帯可能であることを特徴とする請求項１６乃至１９のいずれか１項に記載のユーザ端末。
【請求項２２】
前記車両に備え付けられていることを特徴とする請求項１６乃至１９のいずれか１項に記載のユーザ端末。
【請求項２３】
サーバと、車両のバッテリを充電可能な充電器を制御するとともに前記サーバと通信可能な充電コントローラとを備えた充電システムによる充電方法であって、
前記サーバがユーザ端末の位置情報を取得するステップと、
前記位置情報に対応した前記充電コントローラに、前記ユーザ端末からの充電開始の指示を前記サーバから送信するステップと、
を備えることを特徴とする充電方法。
【請求項２４】
サーバと、車両のバッテリを充電可能な充電器を制御するとともに前記サーバと通信可能な充電コントローラとを備えた充電システムによる充電方法をコンピュータに実行させるプログラムであって、
ユーザ端末の位置情報を前記サーバによって取得するステップと、
前記位置情報に対応した前記充電コントローラのリストを前記サーバから前記ユーザ端末に送信するステップと、
を備えることを特徴とするプログラム。
【請求項２５】
車両のバッテリを充電可能な充電器を制御するとともに、サーバと通信可能な充電コントローラによる充電方法をコンピュータに実行させるプログラムであって、
無線通信部によってユーザ端末と無線通信を行なうステップと、
前記サーバによって取得された前記ユーザ端末の位置情報に対応した前記充電コントローラにおいて、前記ユーザ端末からの充電開始の指示を前記サーバから受信するステップと、
を備えることを特徴とするプログラム。
【請求項２６】
サーバと、車両のバッテリを充電可能な充電器を制御するとともに、前記サーバと通信可能な充電コントローラとを備える充電システムに用いられるユーザ端末による充電方法をコンピュータに実行させるプログラムであって、
前記ユーザ端末の位置情報を前記サーバに送信するステップと、
前記サーバから、前記位置情報に対応した前記充電コントローラのリストを受信するステップと、を備えることを特徴とするプログラム。
【国際調査報告】
2018110416.tif 000024
2018110416.tif 000025
2018110416.tif 000026
2018110416.tif 000027